(57)【要約】【課題】枕は１日の生活のうち約３分の１のあいだ使用し、単に頭を支えるものとしてのみ使うのでは無く、寝ている間に健康を促進しかつ快眠を得られるものにしたい潜在的な要求があった。【解決手段】それらの潜在要求を満足するのが本発明である。即ち、遠赤外線とマイナスイオンと低線量放射線を放出する材料と低反発材料とを組み合わせたことにより、生体刺激作用（ホルミシス効果）と適切な頸椎サポート効果を得る健康促進枕を発明した。【選択図】        図１
2004305443.tif 000002
【特許請求の範囲】
【請求項１】
遠赤外線とマイナスイオンと低線量放射線を放出する材料と低反発材料とを組み合わせたことを特徴とする健康促進枕。
【請求項２】
遠赤外線とマイナスイオンと低線量放射線を放出する材料はセラミックス遠赤外線放射材料の粉末と、自然放射性元素の酸化トリウムの含有量として換算して０．３以上２．０重量％以下に調整したモナザイトの粉末とを共に１０μｍ以下の平均粒子径としてなる混合物を、焼成し、複合化してなる材料とした請求項１の健康促進枕。
【請求項３】
低反発材料は低反発ウレタンチップを材料とした請求項１の健康促進枕。
【発明の詳細な説明】
【０００１】
【発明が属する技術分野】
本発明は健康促進枕であって、生体刺激作用（ホルミシス効果）を有する遠赤外線、マイナスイオン、低線量放射線を放出する材料と低反発材料とで成り立つ健康促進枕に関するものである。
【０００２】
【従来の技術】
かつて、枕は寝るときに血流が頭部に集中しないためであり、さらには頸椎に負担をかけないためであった。さらに枕は快眠を得る要素として大きな役割を持ち、古くからいろいろな工夫がなされてきた。非常に弾力性のある枕からそば殻のような弾力性の無い低反発材料に至るまで試行錯誤されてきた。
【０００３】
その結果、現在では頭部を広い面で支える低反発な枕が快眠を誘うとして人気があり、枕から頭への反作用として単位面積あたりの力が弱くかつ均等であり頸椎の保護に優れていることがわかってきた。
【０００４】
【発明が解決しようとする課題】
枕は１日のうち約３分の１のあいだ使用し単に頭を支えるものとしてのみ使うのでは無く、寝ている間に健康を促進しかつ快眠を得られるものにしたい潜在的な要求があった。
【０００５】
【課題を解決するための手段】
そこでその潜在的な要求を解決すべく、遠赤外線とマイナスイオンと低線量放射線を放出する材料と低反発材料とを組み合わせたことを特徴とする健康促進枕を発明した。
【０００６】
【発明の実施の形態】
実施の形態としては、頭を支える枕の本体として低反発ウレタンチップを使用し、頭を面で支えることにより単位面積あたりの反作用を小さくした。さらに、遠赤外線とマイナスイオンと低線量放射線を放出する材料としてはセラミックス遠赤外線放射材料の粉末と、自然放射性元素の酸化トリウムの含有量として換算して０．３以上２．０重量％以下に調整したモナザイトの粉末とを共に１０μｍ以下の平均粒子径としてなる混合物を、焼成し、複合化してなる材料を使用し寝ている間の健康促進を図った。
【０００７】
【実施例】
図１は本発明の１実施例の図であって、袋状の生地（１）に低反発ウレタンチップを詰め込み枕を形成する。そして、枕を使用したときにちょうど頸椎にあたるところに遠赤外線とマイナスイオンと低線量放射線を放出する材料（２）を貼り付ける構成とした。
【０００８】
なお、遠赤外線とマイナスイオンと低線量放射線を放出する材料がセラミックス遠赤外線放射材料の粉末と、自然放射性元素の酸化トリウムの含有量として換算して０．３以上２．０重量％以下に調整したモナザイトの粉末とを共に１０μｍ以下の平均粒子径としてなる混合物を、焼成し、複合化してなる材料であることは特許第３０８５１８２号で開示されているとおりである。
【０００９】
なお、ウレタンチップにしたのはウレタンの塊でも良いのだが、ウレタンチップのほうがコストも安く袋に詰めれば塊と同じ効果を有するためである。
【００１０】
【発明の効果】
以上説明したように本発明の健康を促進する枕は以下の効果を有する。
１    通常の低反発枕と同様、頭の形に倣うので単位面積あたりの反作用は小さくなる。また。頭は枕より均等な力の反作用を受けるため頸椎にとっては不要な負担が無くなる。
２    １の効果に加えて、セラミックス遠赤外線放射材料の粉末と、自然放射性元素の酸化トリウムの含有量として換算して０．３以上２．０重量％以下に調整したモナザイトの粉末とを共に１０μｍ以下の平均粒子径としてなる混合物を、焼成し、複合化してなる材料が頸椎の周りに配置されるため、遠赤外線とマイナスイオンと低線量放射線の放出により、肩こり、肩の痛み、筋肉痛の緩和、体のリラックス効果がある。
３    セラミックス遠赤外線放射材料の粉末と、自然放射性元素の酸化トリウムの含有量として換算して０．３以上２．０重量％以下に調整したモナザイトの粉末とを共に１０μｍ以下の平均粒子径としてなる混合物を、焼成し、複合化してなる材料には生体刺激作用（ホルミシス効果）があるため、健康促進に効果がある。
【図面の簡単な説明】
【図１】健康を促進する枕の実施方法を示した説明図である。（実施例１）
【符号の説明】
１    内部に低反発ウレタンチップを詰めた枕の袋状の生地である。
２    遠赤外線とマイナスイオンと低線量放射線を放出する材料である。
【図１】
2004305443.tif 000003
【手続補正書】
【提出日】平成15年5月2日(2003.5.2)
【手続補正１】
【補正対象書類名】明細書
【補正対象項目名】発明の詳細な説明
【補正方法】変更
【補正の内容】
【発明の詳細な説明】
【０００１】
【発明が属する技術分野】
本発明は健康促進枕であって、生体刺激作用（ホルミシス効果）を有する遠赤外線、マイナスイオン、低線量放射線を放出する材料と低反発材料とで成り立つ健康促進枕に関するものである。
【０００２】
【従来の技術】
かつて、枕は寝るときに血流が頭部に集中しないためであり、さらには頸椎に負担をかけないためであった。さらに枕は快眠を得る要素として大きな役割を持ち、古くからいろいろな工夫がなされてきた。非常に弾力性のある枕からそば殻のような弾力性の無い低反発材料に至るまで試行錯誤されてきた。
【０００３】
その結果、現在では頭部を広い面で支える低反発な枕が快眠を誘うとして人気があり、枕から頭への反作用として単位面積あたりの力が弱くかつ均等であり頸椎の保護に優れていることがわかってきた。
【０００４】
【発明が解決しようとする課題】
枕は１日のうち約３分の１のあいだ使用し単に頭を支えるものとしてのみ使うのでは無く、寝ている間に健康を促進しかつ快眠を得られるものにしたい潜在的な要求があった。
【０００５】
【課題を解決するための手段】
そこでその潜在的な要求を解決すべく、遠赤外線とマイナスイオンと低線量放射線を放出する材料と低反発材料とを組み合わせたことを特徴とする健康促進枕を発明した。
【０００６】
【発明の実施の形態】
実施の形態としては、頭を支える枕の本体として低反発ウレタンチップを使用し、頭を面で支えることにより単位面積あたりの反作用を小さくした。さらに、遠赤外線とマイナスイオンと低線量放射線を放出する材料としてはセラミックス遠赤外線放射材料の粉末と、自然放射性元素の酸化トリウムの含有量として換算して０．３以上２．０重量％以下に調整したモナザイトの粉末とを共に１０μｍ以下の平均粒子径としてなる混合物を、焼成し、複合化してなる材料を使用し寝ている間の健康促進を図った。
【０００７】
【実施例】
図１は本発明の１実施例の図であって、袋状の生地（１）に低反発ウレタンチップを詰め込み枕を形成する。そして、枕を使用したときにちょうど頸椎にあたるところに遠赤外線とマイナスイオンと低線量放射線を放出する材料（２）を貼り付ける構成とした。
【０００８】
なお、遠赤外線とマイナスイオンと低線量放射線を放出する材料がセラミックス遠赤外線放射材料の粉末と、自然放射性元素の酸化トリウムの含有量として換算して０．３以上２．０重量％以下に調整したモナザイトの粉末とを共に１０μｍ以下の平均粒子径としてなる混合物を、焼成し、複合化してなる材料であることは特許第３０８５１８２号で開示されているとおりである。
【０００９】
なお、ウレタンチップにしたのはウレタンの塊でも良いのだが、ウレタンチップのほうがコストも安く袋に詰めれば塊と同じ効果を有するためである。
【００１０】
【発明の効果】
以上説明したように本発明の健康を促進する枕は以下の効果を有する。
１    通常の低反発枕と同様、頭の形に倣うので単位面積あたりの反作用は小さくなる。また。頭は枕より均等な力の反作用を受けるため頸椎にとっては不要な負担が無くなる。
２    １の効果に加えて、セラミックス遠赤外線放射材料の粉末と、自然放射性元素の酸化トリウムの含有量として換算して０．３以上２．０重量％以下に調整したモナザイトの粉末とを共に１０μｍ以下の平均粒子径としてなる混合物を、焼成し、複合化してなる材料が頸椎の周りに配置されるため、遠赤外線とマイナスイオンと低線量放射線の放出により、肩こり、肩の痛み、筋肉痛の緩和、体のリラックス効果がある。
３    セラミックス遠赤外線放射材料の粉末と、自然放射性元素の酸化トリウムの含有量として換算して０．３以上２．０重量％以下に調整したモナザイトの粉末とを共に１０μｍ以下の平均粒子径としてなる混合物を、焼成し、複合化してなる材料には生体刺激作用（ホルミシス効果）があるため、健康促進に効果がある。